(57)【要約】【課題】良好な沈着制御性ばかりでなく、優れた熱・酸化安定性も示す潤滑油組成物を提供すること。【解決手段】１種以上のヒドロカルビル置換芳香族潤滑基油と（ａ）１種以上のフェニル−ナフチルアミン及び（ｂ）１種以上のジフェニルアミンとの組合わせを含み、更にポリ−α−オレフィン及び／又はフィッシャー・トロプシュ誘導基油からなる１種以上の追加の潤滑基油を含む潤滑油組成物。【選択図】なし【特許請求の範囲】
【請求項１】
１種以上のヒドロカルビル置換芳香族潤滑基油と（ａ）１種以上のフェニル−ナフチルアミン及び（ｂ）１種以上のジフェニルアミンとの組合わせを含み、更にポリ−α−オレフィン及び／又はフィッシャー・トロプシュ誘導基油を含む１種以上の追加の潤滑基油を含む潤滑油組成物。
【請求項２】
１種以上のヒドロカルビル置換芳香族潤滑基油が、アルキル化ナフタレン、アルキル化ベンゼン、アルキル化ジフェニル化合物及びアルキル化ジフェニルメタン、の１種以上から選ばれる請求項１に記載の潤滑油組成物。
【請求項３】
１種以上のヒドロカルビル置換芳香族潤滑基油が、１種以上のアルキル化ナフタレンである請求項１又は２に記載の潤滑油組成物。
【請求項４】
１種以上のフェニル−ナフチルアミンが、フェニル−α−ナフチルアミンである請求項１〜３のいずれか１項に記載の潤滑油組成物。
【請求項５】
１種以上のジフェニルアミンが、ヒドロカルビル置換ジフェニルアミンである請求項１〜４のいずれか１項に記載の潤滑油組成物。
【請求項６】
１種以上の極圧添加剤、１種以上の耐摩耗添加剤、１種以上の金属不活性化剤、１種以上の腐食防止剤、１種以上の消泡剤及び／又は１種以上の解乳化剤から選ばれた１種以上の添加剤を更に含む請求項１〜５のいずれか１項に記載の潤滑油組成物。
【請求項７】
１種以上のフェニル−ナフチルアミンが、潤滑油組成物の合計重量に対し、全量で０．１〜５．０重量％の範囲含まれる請求項１〜６のいずれか１項に記載の潤滑油組成物。
【請求項８】
１種以上のジフェニルアミンが、潤滑油組成物の合計重量に対し、全量で０．１〜５．０重量％の範囲含まれる請求項１〜７のいずれか１項に記載の潤滑油組成物。
【請求項９】
１種以上のヒドロカルビル置換芳香族潤滑基油が、潤滑油組成物の合計重量に対し、全量で０．１〜３０重量％の範囲含まれる請求項１〜８のいずれか１項に記載の潤滑油組成物。
【請求項１０】
１種以上のフェニル−ナフチルアミン（ａ）と１種以上のジフェニルアミン（ｂ）とが、１：３〜３：１の範囲の重量比で存在する請求項１〜８のいずれか１項に記載の潤滑油組成物
【請求項１１】
請求項１〜１０のいずれか１項に記載の潤滑油組成物をロータリーエアコンプレッサーの潤滑に使用する方法。
【発明の詳細な説明】
【技術分野】
【０００１】
本発明は潤滑油組成物に関し、更に詳しくはロータリーエアコンプレッサーの潤滑用潤滑油組成物に関する。
【背景技術】
【０００２】
コンプレッサー、特にロータリーエアコンプレッサーの潤滑では、潤滑油を高温条件に暴露する可能性がある。
このようなコンプレッサーに使用される潤滑油組成物は、各成分を充分に潤滑するため、要件の組合わせに適合しなければならない。
【０００３】
したがって、この種のコンプレッサーでは油の変化に対する必要性を最小化可能にする、即ち、油の排出間隔を好適化するには、このような潤滑油組成物は、良好な沈着制御性ばかりでなく、良好な熱・酸化安定性も示さなければならない。
ＷＯ−Ａ−０１／６４８２０には、（Ａ）少なくとも１種のポリアルキレングリコール（ＰＡＧ）と（Ｂ）少なくとも１種のアルキル芳香族化合物とのブレンドを含む潤滑基油含有潤滑油組成物が記載されている。
【０００４】
この潤滑油組成物は、容積式コンプレッサーの潤滑油として使用できると簡単に述べている。
ＷＯ−Ａ−０１／６４８２０は、ＰＡＧをアルキルナフタレン及び各種酸化防止剤と組合わせてなる潤滑油組成物を例示している。
ＥＰ−Ａ−０３８７９７９は、酸化防止剤として特定のアルキル置換ジフェニルアミン、即ち、ｐ，ｐ’−ジノニルジフェニルアミンを開示している。
【０００５】
ＥＰ−Ａ−０３８７９７９は、更にこの酸化防止剤を、芳香族含有量が３０重量％以下の鉱油及び／又は構造単位中に芳香族環を持たない合成油を含む潤滑油組成物に使用することを開示している。
即ち、ＥＰ−Ａ−０３８７９７９は、芳香族潤滑基油に前記酸化防止剤を併用することを教示していない。
【０００６】
ＥＰ−Ａ−０３８７９７９は、ｐ，ｐ’−ジノニルジフェニルアミン、Ｎ−ｐ−ドデシルフェニル−α−ナフチルアミン、及び基油として、芳香族含有量が７重量％の精製鉱油か或いはポリ−α−オレフィン油のいずれかを含む組成物を開示している。しかし、この文献には本発明の特定の潤滑油組成物についての開示はない。
【０００７】
ＥＰ−Ａ−０３８７９７９の表２には、酸化防止性能（ＡＳＴＭ  Ｄ２２７２による）が２１５４分の前記精製基油中にｐ，ｐ’−分岐ジノニルジフェニルアミン（実施例５）及びＮ−ｐ−分岐ドデシルフェニル−α−ナフチルアミンを含有する組成物が開示されている。
【０００８】
更に、前記表の比較例４には、酸化防止性能（ＡＳＴＭ  Ｄ２２７２による）が２１２７分の前記精製基油中にｐ，ｐ’−分岐ジオクチルジフェニルアミン及びＮ−ｐ−分岐オクチルフェニル−α−ナフチルアミンを含有する組成物が記載されている。
【０００９】
ＵＳ−Ｂ１−６１８０５７５には、ベアリング、ギアの潤滑、及びその他、ウエットクラッチシステム、冷却用ギアボックス及びロータリースクリューコンプレッサーのような工業的用途に使用できる潤滑油組成物が記載されている。
【００１０】
前記潤滑油組成物は、炭化水素ベース流体を少なくとも５０重量％含むベース流体と、（１）置換トリアゾールと炭化水素アミンホスフェートとの付加体を全組成物に対し約５重量％未満、及び（２）トリ−ヒドロカルビルホスフェートを全組成物に対し５重量％以下からなる添加剤の組合わせ（但し、トリ−ヒドロカルビルホスフェートと付加体との比率は約２：１〜約５：１）とを含有する。
【００１１】
ＵＳ−Ｂ１−６１８０５７５は、前記潤滑油組成物にも使用可能な従来の添加剤として、粘度指数向上剤、酸化防止剤、耐摩耗添加剤及び腐食防止剤を挙げている。注目すべきは、ＵＳ−Ｂ１−６１８０５７５の説明欄には、多数の異なる酸化防止剤が示されているが、これらの酸化防止剤は実施例では重要な特徴ではなく、しかも詳細に説明されていないことである。
【００１２】
ＵＳ−Ｂ１−６１８０５７５の実施例３は、Ｃ１４アルキルナフタレン２０．００重量％、及びＰＡＯとアミン系酸化防止剤０．７５重量％との混合物７６．７８重量％を含むＩＳＯグレード３２油であると述べている。前記油のＡＳＴＭ  Ｄ２２７２によるＲＢＯＴ値は１７５０分であることが示されている。
【特許文献１】ＷＯ−Ａ−０１／６４８２０
【特許文献２】ＥＰ−Ａ−０３８７９７９
【特許文献３】ＵＳ−Ｂ１−６１８０５７５
【特許文献４】ＵＳ−Ａ−５６０２０８６
【特許文献５】ＷＯ−Ａ−０３／０４８２７５
【特許文献６】ＷＯ−Ａ−０３／０４８２７６
【特許文献７】ＷＯ−Ａ−９８／２６０３０
【特許文献８】ＷＯ−Ａ−０２／０７０６３１
【発明の開示】
【発明が解決しようとする課題】
【００１３】
しかし、コンプレッサー用の潤滑油組成物は当該技術分野で知られているが、油の排出間隔をなお更に拡大可能にするには、性能の向上した潤滑油組成物を未だ開発する必要がある。
【００１４】
本発明では、良好な沈着制御性ばかりでなく、優れた熱・酸化安定性も示す潤滑油組成物が意外にも見出された。
【課題を解決するための手段】
【００１５】
本発明の潤滑油組成物は、１種以上のヒドロカルビル置換芳香族潤滑基油と（ａ）１種以上のフェニル−ナフチルアミン及び（ｂ）１種以上のジフェニルアミンとの組合わせを含み、更にポリ−α−オレフィン及び／又はフィッシャー・トロプシュ誘導基油を含む１種以上の追加の潤滑基油を含む。
【発明を実施するための最良の形態】
【００１６】
本発明の潤滑油組成物は、成分（ａ）及び（ｂ）の一方の単一化合物又は両方の化合物の混合物を含有する。
本発明で使用される１種以上のフェニル−ナフチルアミンは、置換又は非置換のどちらでも可能であるし、或いは両方の混合物でも可能である。１種以上のフェニル−ナフチルアミンは、そのままでも或いは塩の形態でも使用可能である。このようなフェニル−ナフチルアミンの例は、フェニル−α−ナフチルアミン及びフェニル−β−ナフチルアミンである。フェニル−ナフチルアミンは、好ましくはフェニル−α−ナフチルアミンである。
【００１７】
好ましい置換フェニル−ナフチルアミンは、モノアルキル化フェニル−α−ナフチルアミンである。都合良く使用できるフェニル−ナフチルアミンの例としては、オクチルフェニル−β−ナフチルアミン、ｔ−オクチルフェニル−α−ナフチルアミン、フェニル−α−ナフチルアミン、フェニル−β−ナフチルアミン、ｐ−オクチルフェニル−α−ナフチルアミン、４−オクチルフェニル−１−オクチル−β−ナフチルアミン、ｎ−ｔ−ドデシルフェニル−１−ナフチルアミン、Ｎ−ヘキシルフェニル−２−ナフチルアミンが挙げられる。特に好ましいフェニル−α−ナフチルアミンは、モノオクチル化フェニル−α−ナフチルアミンである。
【００１８】
他の好ましいフェニル−ナフチルアミンは、非置換フェニル−α−ナフチルアミンである。
本発明の潤滑油組成物に都合良く使用できる市販のフェニル−ナフチルアミンの例は、Ｃｉｂａ  Ｓｐｅｃｉａｌｔｙ  Ｃｈｅｍｉｃａｌｓから商品名“ＩＲＧＡＮＯＸ  Ｌ−０６”で得られるものである。
【００１９】
本発明の潤滑油組成物は、更に１種以上のジフェニルアミン（ｂ）を含む。１種以上のジフェニルアミンは置換しても非置換でも可能である。好ましくはヒドロカルビル置換ジフェニルアミン、更に好ましくはアルキル置換ジフェニルアミンが使用される。好ましいジフェニルアミンは、４，４’−ジアルキルジフェニルアミンである。このアルキル基の炭素原子数は、好ましくは２〜１５、更に好ましくは３〜１２の範囲である。好ましいジフェニルアミンとしては、ｐ，ｐ’−ジオクチル−ジフェニルアミン、ｐ，ｐ’−ジ−α−メチルベンジル−ジフェニルアミン及びＮ−ｐ−ブチルフェニル−Ｎ−ｐ’−オクチルフェニルアミンのようなジアルキルジフェニルアミン；モノ−ｔ−ブチルジフェニルアミン及びモノ−オクチルジフェニルアミンのようなモノアルキルジフェニルアミン；ジ−（２，４−ジエチルフェニル）アミン及びジ（２−エチル−４−ノニルフェニル）アミンのようなビス（ジアルキルフェニル）アミンが挙げられる。
【００２０】
本発明の潤滑油組成物に都合良く使用できる市販のジフェニルアミンの例は、Ｃｉｂａ  Ｓｐｅｃｉａｌｔｙ  Ｃｈｅｍｉｃａｌｓから商品名“ＩＲＧＡＮＯＸ  Ｌ−５７”で得られるものである。
【００２１】
本発明の潤滑油組成物中に存在する１種以上のヒドロカルビル置換芳香族潤滑基油は、好ましくはアルキル化芳香族潤滑基油、更に好ましくはアルキル化ナフタレン、アルキル化ベンゼン、アルキル化ジフェニル化合物及びアルキル化ジフェニルメタン、の１種以上から選ばれるアルキル化芳香族潤滑基油である。この種の基油は、ＵＳ−Ｂ１−６１８０５７５に記載され、またこの文献に記載される方法で都合良く製造できる。異なる好適な基油は、異なる潤滑粘度を持つことができる。１種以上のヒドロカルビル置換芳香族潤滑基油は、水素及び炭素のみを含む化合物で本質的に構成される。硫黄含有化合物のような汚染物は限定量存在してよい。１種以上のヒドロカルビル置換芳香族潤滑基油の好ましくは８０重量％を超える分、更に好ましくは９０重量％を超える分は、水素及び炭素のみからなる化合物で構成される。
【００２２】
本発明の潤滑油組成物に使用される好ましいヒドロカルビル置換芳香族潤滑基油はアルキル化ナフタレンである。このアルキル化ナフタレンは、ＵＳ−Ａ−５６０２０８６、ＷＯ−Ａ−０３／０４８２７５及びＷＯ−Ａ−０３／０４８２７６に記載されるようなモノ−、ジ−、トリ−又はテトラ−アルキル置換ナフタレンであってよい。
本発明の潤滑油組成物は、ポリ−α−オレフィン及び／又はフィッシャー・トロプシュ誘導基油からなる１種以上の追加の潤滑基油を含有する。
【００２３】
ＵＳ−Ｂ１−６１８０５７５及びＵＳ−Ａ−５６０２０８６に記載されるように、ポリ−α−オレフィン及び／又はフィッシャー・トロプシュ誘導基油、並びにそれらの製造法は当該技術分野で周知である。本発明の潤滑油組成物に使用できる好ましいポリ−α−オレフィンは、Ｃ２〜Ｃ３２のα−オレフィンから誘導できる。ポリ−α−オレフィン用の特に好ましい供給原料は、１−オクテン、１−デセン、１−ドデセン及び１−テトラデセンである。本発明の潤滑油組成物に都合良く使用できるポリ−α−オレフィンは、１００℃での動粘度が好ましくは３〜３００ｍｍ２／ｓ、更に好ましくは４〜１００ｍｍ２／ｓのものである。
【００２４】
本発明の潤滑油組成物に１種以上の追加の潤滑基油として都合良く使用できるフィッシャー・トロプシュ誘導基油は、例えばＥＰ−Ａ−７７６９５９、ＥＰ−Ａ−６６８３４２、ＷＯ−Ａ−９７／２１７８８、ＷＯ−Ａ−００／１５７３６、ＷＯ−Ａ−００／１４１８８、ＷＯ−Ａ−００／１４１８７、ＷＯ−Ａ−００／１４１８３、ＷＯ−Ａ−００／１４１７９、ＷＯ−Ａ−００／０８１１５、ＷＯ−Ａ−９９／４１３３２、ＷＯ−Ａ−１０２９０２９、ＷＯ−Ａ−０１／１８１５６及びＷＯ−Ａ−０１／５７１６６に記載されるようなフィッシャー・トロプシュ誘導基油である。
【００２５】
本発明の一実施態様では前記１種以上の追加の潤滑基油は、更に鉱物潤滑基油及び／又は他の合成潤滑基油を含有してよい。
このような鉱物潤滑基油としては、更に水素化分解及び水素化仕上げの工程及び／又は脱蝋により更に精製できるパラフィン系、ナフテン系又はパラフィン／ナフテン混合系の、液体石油及び溶剤処理又は酸処理した鉱物潤滑油が挙げられる。
【００２６】
ナフテン系基油は、粘度指数（ＶＩ）が低く（一般に４０〜８０）、また流動点も低い。このような基油は、ナフテンが豊富で蝋含有量が少ない供給原料から製造され、主として色調及び色安定性が重要で、粘度指数及び酸化安定性が次に重要である潤滑油に使用される。
【００２７】
パラフィン系基油は、粘度指数が高く（一般に＞９５）、また流動点も高い。この種の基油は、パラフィンが豊富な供給原料から製造され、粘度指数及び酸化安定性が重要な潤滑油に使用される。
合成法によって、簡単な物質から分子を作ったり、或いは所要の正確な特性を有するように改質した構造を分子に付与することは可能である。
【００２８】
本発明の１種以上の追加の潤滑基油に存在してよい他の合成潤滑基油としては、ポリアルキレングリコール（ＰＡＧ）、ポリイソブチレン（ＰＩＢ）二塩基酸エステル、ポリオールエステル及びその他の複合エステル、及び脱蝋済み蝋状ラフィネートのような炭化水素油が挙げられる。シェルグループから“ＸＨＶＩ”（商標）名で販売されている合成炭化水素基油が都合良く使用できる。
【００２９】
任意の追加の潤滑基油は、飽和物の含有量が、ＡＳＴＭ  Ｄ２００７で測定して、好ましくは８０重量％を超え、更に好ましくは９０重量％を超える、鉱油及び／又は他の合成基油で構成される。
【００３０】
更に前記任意の追加の潤滑基油は、硫黄を、ＡＳＴＭ  Ｄ２６２２、ＡＳＴＭ  Ｄ４２９４、ＡＳＴＭ  Ｄ４９２７又はＡＳＴＭ  Ｄ３１２０で測定し、元素状硫黄として計算して、好ましくは１．０重量％未満、更に好ましくは０．１重量％未満含有する。
【００３１】
前記任意の追加の潤滑基油の粘度指数は、ＡＳＴＭ  Ｄ２２７０で測定して、好ましくは８０を超え、更に好ましくは１２０を超える。
【００３２】
本発明の潤滑油組成物は、４０℃での動粘度が好ましくは３２〜１５０ｍｍ２／ｓ、更に好ましくは３２〜１００ｍｍ２／ｓ、最も好ましくは３２〜７８ｍｍ２／ｓの範囲である。
【００３３】
本発明の潤滑油組成物に存在する添加剤（ａ）及び（ｂ）の量は、組成物に使用した特定の化合物に依存する。
本発明の潤滑油組成物は、１種以上のフェニル−ナフチルアミンを、潤滑油組成物の合計重量に対し、全量で好ましくは０．１〜５．０重量％、更に好ましくは０．２〜２．０重量％の範囲で含有する。
【００３４】
本発明の潤滑油組成物は、１種以上のジフェニルアミンを、潤滑油組成物の合計重量に対し、全量で好ましくは０．１〜５．０重量％、更に好ましくは０．２〜２．０重量％の範囲で含有する。
【００３５】
本発明の潤滑油組成物にはヒドロカルビル置換芳香族潤滑基油が、潤滑油組成物の合計重量に対し、全量で好ましくは０．１〜３０重量％、更に好ましくは１〜２０重量％の範囲で存在する。
【００３６】
本発明の潤滑油組成物には１種以上のヒドロカルビル置換芳香族潤滑基油が、潤滑基油の合計重量に対し、好ましくは６０重量％未満、更に好ましくは２５重量％未満、最も好ましくは１〜２５重量％の範囲で含まれる。ここで、潤滑基油の合計重量とは、１種以上のヒドロカルビル置換芳香族潤滑基油と１種以上の追加の潤滑基油との合計重量のことである。
【００３７】
本発明の好ましい実施態様では１種以上のフェニル−ナフチルアミン（ａ）と１種以上のジフェニルアミン（ｂ）とは、本発明の潤滑油組成物中に、好ましくは１：３〜３：１、更に好ましくは１：２〜１：１の範囲の重量比で存在する。
【００３８】
本発明の潤滑油組成物は、フェノール系酸化防止剤を殆ど含有しないことが好ましい。フェノール系酸化防止剤の存在量は、潤滑油組成物の全量に対し、好ましくは１重量％未満、更に好ましくは０．５重量％未満、なお更に好ましくは０．１重量％未満、最も好ましくは０重量％である。
【００３９】
本発明の潤滑油組成物は、更に極圧添加剤、耐摩耗添加剤、金属不活性化剤、腐食防止剤、消泡剤及び／又は解乳化剤のような添加剤を含有できる。
【００４０】
都合良く使用できる耐摩耗添加剤としては、ジアルキル−、ジアリール−及び／又はアルキルアリール−ジチオ燐酸亜鉛から選ばれたジチオ燐酸亜鉛化合物、モリブデン含有化合物、ホウ素含有化合物、及び置換又は非置換のチオ燐酸及びその塩のような灰分のない耐摩耗添加剤が挙げられる。これらの耐摩耗添加剤は、本発明の潤滑油組成物に、潤滑油組成物の合計重量に対し、各々、０．１〜３．０重量％の範囲の量で都合良く添加できる。
【００４１】
モリブデン含有化合物の例としては、ジチオカルバミン酸モリブデン、例えばＷＯ−Ａ−９８／２６０３０に記載されるような３核モリブデン化合物、モリブデンのスルフィド、及びジチオ燐酸モリブデンが都合良く挙げられる。
都合良く使用できるホウ素含有化合物としては、ホウ酸（ｂｏｒａｔｅ）エステル、ホウ酸化脂肪族アミン、ホウ酸化エポキシド、ホウ酸アルカリ金属（又は混合アルカリ金属又はアルカリ土類金属）及びホウ酸化過剰塩基（ｏｖｅｅｒｂａｓｅｄ）金属塩が挙げられる。
【００４２】
アルケニル琥珀酸又はそのエステル部分のような化合物、ベンゾトリアゾール系化合物及びチオジアゾール系化合物は、本発明の潤滑油組成物に腐食防止剤として都合良く使用できる。
ポリシロキサン、ジメチルポリシクロヘキサン及びポリアクリレートのような化合物は、本発明の潤滑油組成物に消泡剤として都合良く使用できる。
本発明は更に、本発明の潤滑油組成物をロータリーエアコンプレッサーの潤滑に使用する方法を提供する。
【００４３】
本発明の潤滑油組成物は、１種以上のフェニル−ナフチルアミン、１種以上のジフェニルアミン、１種以上のヒドロカルビル置換芳香族潤滑基油、並びにポリ−α−オレフィン及び／又はフィッシャー・トロプシュ誘導基油及び任意に前述のような添加剤を含む１種以上の追加の潤滑基油を一緒にブレンドすれば、都合良く製造できる。
本発明を以下に実施例を参照して説明するが、これらの実施例はいかなる方法でも本発明を限定することを意図しない。
【実施例】
【００４４】
表１及び表２で特定した基油及び添加剤を用いて配合物をブレンドした。
表１、２の配合物に使用したフェニル−ナフチルアミン（ａ）は、Ｃｉｂａ  Ｓｐｅｃｉａｌｔｙ  Ｃｈｅｍｉｃａｌｓから商品名“ＩＲＧＡＮＯＸ  Ｌ−０６”で得られたものである。
表１、２の配合物に使用したジフェニルアミン（ｂ）は、Ｃｉｂａ  Ｓｐｅｃｉａｌｔｙ  Ｃｈｅｍｉｃａｌｓから商品名“ＩＲＧＡＮＯＸ  Ｌ−５７”で得られたものである。
【００４５】
表１、２の配合物に使用したヒドロカルビル置換芳香族潤滑基油は、ＥｘｘｏｎＭｏｂｉｌから商品名“ＳＹＮＥＳＳＴＩＣ  ５”で得られたアルキルナフタレンである。
表１、２の配合物に使用したＰＡＯ  ４０基油は、Ｉｎｎｏｖｅｎｅから商品名“ＤＵＲＡＳＹＮ  １７４”で得られたものである。
【００４６】
表１の配合物に使用したＰＡＯ  ８基油は、Ｉｎｎｏｖｅｎｅから商品名“ＤＵＲＡＳＹＮ  １６８”で得られたものである。
表２の配合物に使用したＧＴＬ  ８基油は、ＷＯ−Ａ−０２／０７０６３１に記載の方法で都合良く製造できる、１００℃での動粘度が約８ｃＳｔ（ｍｍ２ｓ−１）のフィッシャー・トロプシュ誘導基油である。
【００４７】
実施例１及び実施例２は本発明による実施例であるが、表１、２に示す他の例は本来、比較例である。
表１、２の配合物について、酸化安定性を測定するため、回転式圧力容器酸化テスト（ＲＰＶＯＴ）（以前は回転式高圧噴霧容器酸化テスト（ＲＢＯＴ）として知られていた）（ＡＳＴＭ  Ｄ２２７２）を行なった。
【００４８】
更に、Ｗｏｌｆストリップテスト（以前はＤＩＮ  ５１３９２として知られていた）を以下に述べる改良法で行なった。
以前、ＤＩＮ  ５１３９２は、傾斜金属板にテストエンジンオイルをポンプ送りし、金属板上のエンジンオイルの熱／酸化沈着物生成傾向を測定していた。前記テストで規定された、油量、ポンプ送り速度、金属板温度及びテスト時間は、それぞれ２００ｍｌ、５０ｍｌ／ｈｒ、２５０℃、１２時間であった。
【００４９】
このテストの繰返し性を改良すると共に、潤滑油組成物がコンプレッサーにおいて充分な流体力学的膜条件下で受ける熱／酸化応力型に一層密接にシミュレートさせるため、表１、２の例で使用した条件は、油量を１５０ｍｌ、ポンプ送り速度を５０ｍｌ／ｈｒ、金属板温度を２０５℃、テスト時間を２４時間に変更した。
表１及び表２から、本発明による配合物は、良好な沈着制御性ばかりでなく、回転式圧力容器酸化テスト（ＲＰＶＯＴ）において顕著な性能も示すことが明らかである。
【００５０】
【表１】
2009511728.tif 000002
【００５１】
【表２】
2009511728.tif 000003
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
１種以上のヒドロカルビル置換芳香族潤滑基油０．１〜２０重量％と（ａ）１種以上のフェニル−ナフチルアミン及び（ｂ）１種以上のジフェニルアミンとの組合わせを含み、更にポリ−α−オレフィン及び／又はフィッシャー・トロプシュ誘導基油を含む１種以上の追加の潤滑基油を含む潤滑油組成物。
【請求項２】
１種以上のヒドロカルビル置換芳香族潤滑基油が、アルキル化ナフタレン、アルキル化ベンゼン、アルキル化ジフェニル化合物及びアルキル化ジフェニルメタン、の１種以上から選ばれる請求項１に記載の潤滑油組成物。
【請求項３】
１種以上のヒドロカルビル置換芳香族潤滑基油が、１種以上のアルキル化ナフタレンである請求項１又は２に記載の潤滑油組成物。
【請求項４】
１種以上のフェニル−ナフチルアミンが、フェニル−α−ナフチルアミンである請求項１〜３のいずれか１項に記載の潤滑油組成物。
【請求項５】
１種以上のジフェニルアミンが、ヒドロカルビル置換ジフェニルアミンである請求項１〜４のいずれか１項に記載の潤滑油組成物。
【請求項６】
１種以上の極圧添加剤、１種以上の耐摩耗添加剤、１種以上の金属不活性化剤、１種以上の腐食防止剤、１種以上の消泡剤及び／又は１種以上の解乳化剤から選ばれた１種以上の添加剤を更に含む請求項１〜５のいずれか１項に記載の潤滑油組成物。
【請求項７】
１種以上のフェニル−ナフチルアミンが、潤滑油組成物の合計重量に対し、全量で０．１〜５．０重量％の範囲含まれる請求項１〜６のいずれか１項に記載の潤滑油組成物。
【請求項８】
１種以上のジフェニルアミンが、潤滑油組成物の合計重量に対し、全量で０．１〜５．０重量％の範囲含まれる請求項１〜７のいずれか１項に記載の潤滑油組成物。
【請求項９】
１種以上のフェニル−ナフチルアミン（ａ）と１種以上のジフェニルアミン（ｂ）とが、１：３〜３：１の範囲の重量比で存在する請求項１〜８のいずれか１項に記載の潤滑油組成物。
【請求項１０】
１種以上のフェニル−ナフチルアミン（ａ）と１種以上のジフェニルアミン（ｂ）とが、１：２〜１：１の範囲の重量比で存在する請求項９に記載の潤滑油組成物。
【請求項１１】
４０℃での動粘度が３２〜７８ｍｍ２／ｓである請求項１〜１０のいずれか１項に記載の潤滑油組成物。
【請求項１２】
請求項１〜１１のいずれか１項に記載の潤滑油組成物をロータリーエアコンプレッサーの潤滑に使用する方法。
【請求項１３】
請求項１〜１１のいずれか１項に記載の潤滑油組成物を、沈着制御性を向上するために使用する方法。
【国際調査報告】
2009511728.tif 000004
2009511728.tif 000005